(57)【要約】【課題】導光板を用いずに照明光を高い均一性をもって照射することのできる照明装置を備えた表示装置、および表示装置を提供すること。【解決手段】表示装置１は、表示部材１０と、表示部材１０の表示領域１０ａに光を照射する照明装置２０とを有している。照明装置２０は、表示領域１０ａの面内方向Ｈにおいて表示領域１０ａと隣り合う位置で表示領域１０ａの面外方向Ｖに向いた第１反射面２１と、第１反射面２１と対向する第２反射面２２と、第１反射面２１と第２反射面２２との間から表示領域１０ａに向けて光源光を出射する光源４０とを有している。第２反射面２２は、表示領域１０ａの側より光源４０の側が第１反射面２１に接近するように傾いた複数の斜面２２０が光源４０の側から表示領域１０ａの側に向けて配置された鋸歯状の断面形状を有している。【選択図】図１
2018045856.tif 000002
【特許請求の範囲】
【請求項１】
一方面に表示領域を備えた表示部材と、
前記表示領域に光を照射する照明装置と、
を有し、
前記照明装置は、
前記表示領域に対して前記表示領域の面内方向に沿った方向に隣り合う位置で、表面が前記表示領域の面外方向に向いた第１反射面と、
前記第１反射面と対向する位置に設けられ、複数の斜面を備えた第２反射面と、
前記第１反射面と前記第２反射面との間を介して前記表示領域に向けて光源光を出射する光源と、
を有し、
前記第２反射面は、前記第２反射面の複数の斜面の各々の斜面の端部が、前記表示領域の側に位置する斜面よりも前記光源の側に位置する斜面の方が前記第１反射面に接近するような鋸歯状の断面形状であることを特徴とする表示装置。
【請求項２】
請求項１に記載の表示装置において、
前記第２反射面では、前記複数の斜面のうち、前記光源の側に位置する斜面と前記第１反射面とが成す角度が、前記表示領域の側に位置する斜面と前記第１反射面とが成す角度より大であることを特徴とする表示装置。
【請求項３】
請求項２に記載の表示装置において、
前記第２反射面には、前記斜面が３以上設けられていることを特徴とする表示装置。
【請求項４】
請求項２または３に記載の表示装置において、
前記第２反射面には、前記表示領域の側から前記光源の側に向けて、前記複数の斜面として、前記第１反射面と成す角度が６°の第１斜面、前記第１反射面と成す角度が１５°の第２斜面、前記第１反射面と成す角度が２０°の第３斜面、および前記第１反射面と成す角度が２５°の第４斜面が順に配置されていることを特徴とする表示装置。
【請求項５】
請求項１から４までの何れか一項に記載の表示装置において、
表面が前記表示領域の面内方向に向き、前記表示領域および前記光源が配置されている領域の周りを囲むように配置された第３反射面と、
表面が前記表示領域の側を向き、前記第２反射面と隣り合う位置から前記表示領域の外縁に沿って延在する第４反射面と、
を有することを特徴とする表示装置。
【請求項６】
請求項５に記載の表示装置において、
前記第４反射面は、鋸歯状の断面形状となるような複数の斜面を有することを特徴とする表示装置。
【請求項７】
請求項５または６に記載の表示装置において、
前記第２反射面と前記第３反射面との間に位置し、表面が前記光源に向いた第５反射面を有することを特徴とする表示装置。
【請求項８】
請求項５から７までの何れか一項に記載の表示装置において、
前記表示領域の面外方向に沿った方向に前記表示領域から離間する位置で、前記表示領域の外縁に沿うように延在する枠状部材を備え、
前記枠状部材は、前記表示領域の側の面である第１面に前記第２反射面および前記第４反射面が設けられていることを特徴とする表示装置。
【請求項９】
請求項８に記載の表示装置において、
前記枠状部材の前記第１面とは反対側の面である第２面側に前記表示領域に対向する透光板を有することを特徴とする表示装置。
【請求項１０】
請求項９に記載の表示装置において、
前記第２面には、内周側が前記第１面側に向けて凹んだ環状のテーパー面と、前記テーパー面の内縁に沿うように設けられ、前記透光板に向けて突出したリブ状の凸部と、が設けられ、
前記凸部の前記表示領域の側の内面に、前記表示領域の側に傾いた光散乱性の第６反射面が設けられていることを特徴とする表示装置。
【請求項１１】
請求項８から１０までの何れか一項に記載の表示装置において、
前記枠状部材は、前記表示領域の周りを囲む装飾部材であることを特徴とする表示装置。
【請求項１２】
請求項５から１１までの何れか一項に記載の表示装置において、
前記表示部材を支持する底板部、および前記底板部の外縁から前記表示部材の側に向けて突出して前記表示部材および前記光源の周りを囲む側板部を備えたホルダーを有し、
前記側板部の内面に前記第３反射面が設けられていることを特徴とする表示装置。
【請求項１３】
請求項１から１２までの何れか一項に記載の表示装置において、
前記光源は、発光素子であることを特徴とする表示装置。
【請求項１４】
請求項１から１３までの何れか一項に記載の表示装置において、
前記表示部材は、電気光学装置であることを特徴とする表示装置。
【請求項１５】
被照明領域の面内方向に沿った方向に隣り合う位置で、表面が前記被照明領域の面外方向に向いた第１反射面と、
前記第１反射面と対向する位置に設けられ、複数の斜面を備えた第２反射面と、
前記第１反射面と前記第２反射面との間を介して前記被照明領域に向けて光源光を出射する光源と、
を有し、
前記第２反射面は、前記第２反射面の複数の斜面の各々の斜面の端部が、前記被照明領域の側に位置する斜面よりも前記光源の側に位置する斜面の方が前記第１反射面に接近するような鋸歯状の断面形状であることを特徴とする照明装置。
【請求項１６】
請求項１５に記載の照明装置において、
前記第２反射面では、前記複数の斜面のうち、前記光源の側に位置する斜面と前記第１反射面とが成す角度が、前記被照明領域の側に位置する斜面と前記第１反射面とが成す角度より大であることを特徴とする照明装置。
【発明の詳細な説明】
【技術分野】
【０００１】
本発明は、表示装置および照明装置に関するものである。
【背景技術】
【０００２】
反射型の表示パネルを備えた表示装置では、透過光を利用できないため、いわゆるフロントライトと称せられる照明装置が用いられる。かかる照明装置では、表示パネルの前面に導光板を重ねられており、導光板の端部から入射した光源光は、導光板の厚さ方向で対向する２つの面との間で反射を繰り返しながら導光板内を進行し、表示パネルに向けて照明光として出射される（特許文献１参照）。また、表示パネルの前面に環状の導光板を重ね、導光板の端部から入射した光源光がプリズムでの反射によって周方向に進行する際に径方向内側に照明光として出射される構成も提案されている（特許文献２参照）。
【先行技術文献】
【特許文献】
【０００３】
【特許文献１】特開２００４−１３９７８５号公報
【特許文献２】特開２００４−１３４２２３号公報
【発明の概要】
【発明が解決しようとする課題】
【０００４】
特許文献１に記載の照明装置では、導光板を介して表示をみることになるため、表示のコントラストが低下するという問題点がある。また、特許文献１に記載の照明装置のように、照明の均一性を高めることを目的に、導光板の一方面にテーパー面を備えた複数の凸部を設けると、テーパー面での反射光が観察者の眼に入ることにより、画像の視認性が低下するという問題点がある。一方、特許文献２に記載の照明装置では、被照明領域のサイズや形状が異なるたびに導光板を設計し直す必要があるという問題点がある。
【０００５】
以上の問題点に鑑みて、本発明の課題は、導光板を用いずに照明光を高い均一性をもって照射することのできる照明装置を備えた表示装置、および表示装置を提供することにある。
【課題を解決するための手段】
【０００６】
上記課題を解決するために、本発明に係る表示装置の一態様は、一方面に表示領域を備えた表示部材と、前記表示領域に光を照射する照明装置と、を有し、前記照明装置は、前記表示領域に対して前記表示領域の面内方向に沿った方向に隣り合う位置で、表面が前記表示領域の面外方向に向いた第１反射面と、前記第１反射面と対向する位置に設けられ、複数の斜面を備えた第２反射面と、前記第１反射面と前記第２反射面との間を介して前記表示領域に向けて光源光を出射する光源と、を有し、前記第２反射面は、前記第２反射面の複数の斜面の各々の斜面の端部が、前記表示領域の側に位置する斜面よりも前記光源の側に位置する斜面の方が前記第１反射面に接近するような鋸歯状の断面形状であることを特徴とする。
【０００７】
本発明に係る表示装置の一態様においては、光源が第１反射面と第２反射面との間を介して表示領域に向けて光源光を出射すると、光源光のうち、第２反射面に向かった光は、第２反射面で反射して表示領域に照射される。また、光源から出射された光源光のうち、第１反射面に向かった光は、第１反射面で反射した後、第２反射面で反射して表示領域に照射される。従って、表示領域のうち、光源に近い位置に照射される光強度を低く抑えることができる。このため、表示領域に照射される光強度分布の均一性を高めることができる。また、表示領域と重なる導光板を用いないので、導光板に起因する画像の視認性の低下等の問題が発生しない。さらに、第２反射面は、複数の斜面が配置された鋸歯状の断面形状を有するため、光源から第２反射面に直接向かった光、および第１反射面で反射して第２反射面に向かった光を表示領域に向けて反射する場合でも、表示領域の面外方向における第２反射面の寸法が短くてよい。
【０００８】
本発明に係る表示装置の別態様において、前記第２反射面では、前記複数の斜面のうち、前記光源の側に位置する斜面と前記第１反射面とが成す角度が、前記表示領域の側に位置する斜面と前記第１反射面とが成す角度より大である態様を採用することができる。かかる態様によれば、光源から第２反射面に直接向かった光、および第１反射面で反射して第２反射面に向かった光を適正な方向に向けて反射するのに適しているため、表示領域に照射される光強度分布の均一性を高めることができる。
【０００９】
本発明に係る表示装置の別態様において、前記第２反射面には、前記斜面が３つ以上設けられている態様を採用することができる。
【００１０】
本発明に係る表示装置の別態様において、前記第２反射面には、前記表示領域の側から前記光源の側に向けて、前記複数の斜面として、前記第１反射面と成す角度が６°の第１斜面、前記第１反射面と成す角度が１５°の第２斜面、前記第１反射面と成す角度が２０°の第３斜面、および前記第１反射面と成す角度が２５°の第４斜面が順に配置されている態様を採用することができる。
【００１１】
本発明に係る表示装置の別態様において、表面が前記表示領域の面内方向に向き、前記表示領域および前記光源が配置されている領域の周りを囲むように配置された第３反射面と、表面が前記表示領域の側を向き、前記第２反射面と隣り合う位置から前記表示領域の外縁に沿って延在する第４反射面と、を有する態様を採用することができる。かかる態様によれば、表示領域の外側に向かおうとする光を第３反射面および第４反射面で反射して表示領域に向かわせることができる。従って、表示領域に照射される光強度を高めることができる。また、表示領域のうち、光源から離間する領域に照射される光強度を高めることができるので、表示領域に照射される光強度分布の均一性を高めることができる。
【００１２】
本発明に係る表示装置の別態様において、前記第４反射面は、鋸歯状の断面形状となるような複数の斜面を有する態様を採用することができる。かかる態様によれば、第４反射面での反射方向を適正化することができる。従って、表示領域に照射される光強度を高めることができる。
【００１３】
本発明に係る表示装置の別態様において、前記第２反射面と前記第３反射面との間に位置し、表面が前記光源に向いた第５反射面を有する態様を採用することができる。かかる態様によれば、光源から出射された光源光のうち、第２反射面で斜面と斜面との間で光源の側に向けて反射した光を第３反射面、第５反射面および第１反射面で反射した光を再び第２反射面で反射して表示領域に向かわせることができる。従って、表示領域に照射される光強度を高めることができる。
【００１４】
本発明に係る表示装置の別態様において、前記表示領域の面外方向に沿った方向に前記表示領域から離間する位置で、前記表示領域の外縁に沿うように延在する枠状部材を備え、前記枠状部材は、前記表示領域の側の面である第１面に前記第２反射面および前記第４反射面が設けられている態様を採用することができる。かかる態様によれば、１つの部材（枠状部材）によって第２反射面および第４反射面を構成することができる。
【００１５】
本発明に係る表示装置の別態様において、前記枠状部材の前記第１面とは反対側の面である第２面側に前記表示領域に対向する透光板を有する態様を採用することができる。かかる態様によれば、表示領域を透光板で保護することができる。また、表示領域に照射されずに透光板に向かった光を表示領域に向けて反射することができる。
【００１６】
本発明に係る表示装置の別態様において、前記第２面には、内周側が前記第１面側に向けて凹んだ環状のテーパー面と、前記テーパー面の内縁に沿うように設けられ、前記透光板に向けて突出したリブ状の凸部と、が設けられ、前記凸部の前記表示領域の側の内面に、前記表示領域の側に傾いた光散乱性の第６反射面が設けられている態様を採用することができる。かかる態様によれば、表示領域に照射されずに枠状部材と透光板との間に侵入しようとする光を凸部の第６反射面で表示領域に向けて散乱反射することができる。
【００１７】
本発明に係る表示装置の別態様において、前記枠状部材は、前記表示領域の周りを囲む装飾部材である態様を採用することができる。
【００１８】
本発明に係る表示装置の別態様において、前記表示部材を支持する底板部、および前記底板部の外縁から前記表示部材の側に向けて突出して前記表示部材および前記光源の周りを囲む側板部を備えたホルダーを有し、前記側板部の内面に前記第３反射面が設けられている態様を採用することができる。
【００１９】
本発明に係る表示装置の別態様において、前記光源は、発光素子である態様を採用することができる。
【００２０】
本発明に係る表示装置の別態様において、前記表示部材は、電気光学装置である態様を採用することができる。
【００２１】
本発明に係る照明装置の一態様は、被照明領域の面内方向に沿った方向に隣り合う位置で、表面が前記被照明領域の面外方向に向いた第１反射面と、前記第１反射面と対向する位置に設けられ、複数の斜面を備えた第２反射面と、前記第１反射面と前記第２反射面との間を介して前記被照明領域に向けて光源光を出射する光源と、を有し、前記第２反射面は、前記第２反射面の複数の斜面の各々の斜面の端部が、前記被照明領域の側に位置する斜面よりも前記光源の側に位置する斜面の方が前記第１反射面に接近するような鋸歯状の断面形状であることを特徴とする。
【００２２】
本発明に係る照明装置の一態様において、光源が第１反射面と第２反射面との間を介して被照明領域に向けて光源光を出射すると、光源光のうち、第２反射面に向かった光は、第２反射面で反射して被照明領域に照射される。また、光源から出射された光源光のうち、第１反射面に向かった光は、第１反射面で反射した後、第２反射面で反射して被照明領域に照射される。従って、被照明領域のうち、光源や第１反射面に近い位置に照射される光強度を低く抑えることができる。このため、被照明領域に照射される光強度分布の均一性を高めることができる。また、第２反射面は、複数の斜面が配置された鋸歯状の断面形状を有するため、光源から第２反射面に直接向かった光、および第１反射面で反射して第２反射面に向かった光を被照明領域に向けて反射する場合でも、第２反射面の被照明領域の面外方向における厚さが薄く済む。
【００２３】
本本発明に係る照明装置の別態様において、前記第２反射面では、前記複数の斜面のうち、前記光源の側に位置する斜面と前記第１反射面とが成す角度が、前記被照明領域の側に位置する斜面と前記第１反射面とが成す角度より大である態様を採用することができる。かかる態様によれば、光源から第２反射面に直接向かった光、および第１反射面で反射して第２反射面に向かった光を適正な方向に向けて反射するのに適しているため、被照明領域に照射される光強度分布の均一性を高めることができる。
【図面の簡単な説明】
【００２４】
【図１】本発明の実施の形態１に係る表示装置の一態様を示す斜視図である。
【図２】図１に示す表示装置の分解斜視図である。
【図３】図１に示す表示装置の断面図である。
【図４】図１に示す表示装置に用いた枠状部材を表示部材とは反対側からみた斜視図である。
【図５】図４に示す枠状部材のＡ−Ａ′断面図である。
【図６】図４に示す枠状部材を表示部材の側からみた斜視図である。
【図７】図４に示す枠状部材６０のＢ−Ｂ′断面図である。
【図８】図１に示す表示装置において光源光が表示領域に向けて照射される様子を示す説明図である。
【図９】図８に示す光線の光線追跡結果を示す説明図である。
【図１０】図１に示す表示装置１において光源光が表示領域に向けて照射される別の様子を示す説明図である。
【図１１】本発明の実施の形態２に係る表示装置の断面図である。
【図１２】図１１に示す表示装置に用いた枠状部材を第１面側からみた斜視図である。
【図１３】図１１に示す枠状部材のＣ−Ｃ′断面図である。
【図１４】図１１に示す表示装置における光線追跡結果を示す説明図である。
【図１５】本発明の実施の形態３に係る表示装置の断面図である。
【図１６】図１５に示す表示装置に用いた枠状部材を第２面側からみた斜視図である。
【図１７】図１６に示す枠状部材のＤ−Ｄ′断面図である。
【図１８】図１１に示す表示装置における光線追跡結果を示す説明図である。
【図１９】本発明を適用した表示装置を備えた携帯用電子機器の一態様を示す説明図である。
【発明を実施するための形態】
【００２５】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、表示領域１０ａに平行な方向を表示領域１０ａの面内方向Ｈとし、表示領域１０ａに対して垂直な方向を表示領域１０ａの面外方向Ｖとして説明する。また、以下の説明において、平面視とは、表示領域１０ａの面外方向Ｖからみた様子を意味する。
【００２６】
［実施の形態１］
（全体構成）
図１は、本発明の実施の形態１に係る表示装置１の一態様を示す斜視図である。図２は、図１に示す表示装置１の分解斜視図である。図３は、図１に示す表示装置１の断面図である。なお、図１および図２では、図３に示すカバー３０の図示を省略して、カバー３０に形成された第５反射面２５をシート状に示してある。
【００２７】
図１、図２および図３において、本形態の表示装置１は、一方面に表示領域１０ａを備えた表示部材１０と、表示領域１０ａに光を照射する照明装置２０とを有しており、照明装置２０は、表示領域１０ａを被照明領域２０ａとして照明する。表示部材１０は、電気泳動パネル、反射型液晶パネル等の反射型の電気光学装置であり、第１基板１１と、第１基板１１に対して表示領域１０ａの面外方向Ｖで対向する透光性の第２基板１２と、第１基板１１と第２基板１２との間に設けられた表示層１３と、第１基板１１と第２基板１２との間において表示層１３の周りを封止する封止層１４とを有している。表示部材１０は、封止層１４で囲まれた領域の中央に、画像を表示する円形の表示領域１０ａを有している。表示領域１０ａにおいて、第１基板１１の第２基板１２と対向する面１１ｂ、および第２基板１２の第１基板１１と対向する面１２ａには、表示層１３を駆動する電極（図示せず）が形成されている。
【００２８】
表示部材１０は、第２基板１２の側から入射した照明光が表示層１３や第１基板１１の側で反射して第２基板１２の側から出射される間に表示層１３によって光変調され、画像を表示する。本形態において、表示部材１０は、電気泳動パネルであり、明るい環境下では、照明装置２０の光源４０を消灯して外光による表示を行い、暗い環境下では光源４０を点灯させて光源４０から出射された光源光を利用して表示を行う。
【００２９】
本形態において、表示部材１０は、平面形状が略円形であり、第１基板１１には、周方向の所定位置にフレキシブル配線基板（図示せず）が接続される接続領域１８が設けられている。光源４０は、接続領域１８と平面視で重なる位置に設けられている。
【００３０】
本形態において、光源４０は、光源用基板（図示せず）に実装された発光ダイオード等の発光素子４１であり、本形態では、発光素子４１として、周方向で離間する２か所に第１発光ダイオード４１１および第２発光ダイオード４１２が設けられている。
【００３１】
（反射面の構成）
照明装置２０は、表示領域１０ａの面内方向Ｈにおいて表示領域１０ａと隣り合う位置で表面が表示領域１０ａの面外方向Ｖに向いた第１反射面２１と、表面が第１反射面２１と対向する第２反射面２２とを有しており、光源４０は、第１反射面２１と第２反射面２２との間を介して表示領域１０ａに向けて光源光を出射する。また、照明装置２０は、表面が表示領域１０ａの面内方向Ｈに向いて表示領域１０ａおよび光源４０が配置されている領域の周りを囲む第３反射面２３と、表示領域１０ａの面外方向Ｖにおいて表面が表示領域１０ａの側を向いて第２反射面２２と隣り合う位置から表示領域１０ａの外縁に沿って延在する第４反射面２４とを有している。さらに、照明装置２０は、第２反射面２２と第３反射面２３との間で表面が光源４０と第３反射面２３との間に向いた第５反射面２５を有している。
【００３２】
本形態において、第１反射面２１は、表示領域１０ａの面内方向Ｈにおいて表示領域１０ａと隣り合う位置に配置された反射フィルム５０の光源４０側の面５１からなる。本形態において、反射フィルム５０（第１反射面２１）は、光源４０と重なる位置から表示領域１０ａの外縁に沿って周方向に延在する枠状に形成されている。第２反射面２２、第３反射面２３、および第４反射面２４は、後述する枠状部材６０およびホルダー８０の一部として構成されている。第５反射面２５は、枠状部材６０の外縁に沿って延在するカバー３０の光源４０側の面３１からなる。カバー３０は、少なくとも面３１が光沢を有する黒色の樹脂成形品であり、第５反射面２５は、カバー３０の光沢を有する面３１によって構成されている。
【００３３】
（枠状部材６０および透光板９０の構成）
図４は、図１に示す表示装置１に用いた枠状部材６０を表示部材１０とは反対側からみた斜視図である。図５は、図４に示す枠状部材６０のＡ−Ａ′断面図である。図６は、図４に示す枠状部材６０を表示部材１０の側からみた斜視図である。図７は、図４に示す枠状部材６０のＢ−Ｂ′断面図である。
【００３４】
本形態の表示装置１および照明装置２０には、表示領域１０ａに対して面外方向Ｖで離間する位置で表示領域１０ａの外縁に沿って延在する枠状部材６０（図４、図５、図６および図７参照）が設けられている。枠状部材６０は、表示装置１において表示領域１０ａの周りを囲む装飾部材６０ａとして設けられている。枠状部材６０は、樹脂成形品の表面に対して反射層をめっきした部材であり、反射性を有している。従って、枠状部材６０において、表示領域１０ａの面外方向Ｖにおいて表示領域１０ａの側に向く第１面６１のうち、光源４０が配置されている側の約７０°の角度範囲にわたる第１部分６６によって第２反射面２２が構成され、残りの約２９０°の角度範囲にわたる第２部分６７によって第４反射面２４が構成されている。本形態において、第４反射面２４は平面状である。
【００３５】
枠状部材６０において第１面６１と反対側の第２面６２の側には、表示領域１０ａと対向する円形の透光板９０がカバーガラスとして設けられており、枠状部材６０の第２面６２は、透光板９０の支持部になっている。本形態では、第２面６２のうち、外周側の環状部分は、第１面６１と平行な支持面６２１になっており、かかる支持面６２１によって透光板９０が支持されている。また、第２面６２のうち、内周側の環状部分は、内縁側が第１面６１に向けて凹んだテーパー面６２２になっている。
【００３６】
（ホルダー８０の構成）
再び図１、図２および図３において、表示装置１は、表示部材１０等を保持するホルダー８０を有しており、ホルダー８０は、第１基板１１の第２基板１２の反対側から支持する枠状の底板部８１と、底板部８１の外縁から表示部材１０の側に向けて突出して表示部材１０および発光素子４１の周りを囲む側板部８２とを備えている。側板部８２の内面８２６は、表示領域１０ａの面内方向Ｈに向いて表示領域１０ａおよび光源４０が配置されている領域の周りを囲んでいる。ホルダー８０は、表示部材１０に加えて、光源４０、反射フィルム５０（第１反射面２１）、および枠状部材６０（第２反射面２２および第４反射面２５）も内側に収容している。このため、ホルダー８０は、表示部材１０の外縁に沿う円形部分８０ａと、円形部分８０ａから外側に張り出した矩形部分８０ｂとを有している。かかる構成に対応して、底板部８１および側板部８２は各々、表示部材１０の外縁に沿う円形部分８１１、８２１と、円形部分８１１、８２１から外側に張り出した矩形部分８１２、８２２とを有している。
【００３７】
ここで、ホルダー８０は、少なくとも側板部８２の内面８２６が反射性を有しており、かかる反射性の内面８２６によって第３反射面２３が構成されている。
【００３８】
（第２反射面２２の詳細構成）
表示装置１および照明装置２０において、第２反射面２２（枠状部材６０の第１部分６６）は、図７に示すように、表示領域１０ａの側より光源４０の側が第１反射面２１に接近するように傾いた複数の斜面２２０が光源４０の側から表示領域１０ａの側に向けて配置された鋸歯状の断面形状を有している。
【００３９】
本形態では、第２反射面２２（枠状部材６０の第１部分６６）には、表示領域１０ａの側より光源４０の側が第１反射面２１に接近するように傾いた３つ以上の斜面２２０が設けられている。本形態において、第２反射面２２には、表示領域１０ａの側より光源４０の側が第１反射面２１に接近するように傾いた４つの斜面２２０（第１斜面２２１、第２斜面２２２、第３斜面２２３および第４斜面２２４）が形成されている。このため、第２反射面２２には、第１斜面２２１と第２斜面２２２とを繋ぐ第１連結斜面２２６と、第２斜面２２２と第３斜面２２３とを繋ぐ第２連結斜面２２７と、第３斜面２２３と第４斜面２２４とを繋ぐ第３連結斜面２２８とが形成されている。第１連結斜面２２６、第２連結斜面２２７、および第３連結斜面２２８はいずれも、第１斜面２２１、第２斜面２２２、第３斜面２２３および第４斜面２２４とは反対に、光源４０の側より表示領域１０ａの側が第１反射面２１に接近するように傾いている。
【００４０】
第２反射面２２では、複数の斜面２２０のうち、光源４０の側に位置する斜面と第１反射面２１とが成す角度が、表示領域１０ａの側に位置する斜面と第１反射面２１とが成す角度より大である。例えば、第２反射面２２には、表示領域１０ａの側から光源４０の側に向けて、第１反射面２１と成す角度が６°の第１斜面２２１、第１反射面２１と成す角度が１５°の第２斜面２２２、第１反射面２１と成す角度が２０°の第３斜面２２３、および第１反射面２１と成す角度が２５°の第４斜面２２４が順に配置されている。
【００４１】
（光源光の光線追跡結果等）
図８は、図１に示す表示装置１において光源光が表示領域１０ａに向けて照射される様子を示す説明図である。図９は、図８に示す光線Ｌ１１、Ｌ１２、Ｌ１３、Ｌ１４の光線追跡結果を示す説明図であり、図８には、光線Ｌ１１、Ｌ１２、Ｌ１３、Ｌ１４の光線追跡結果を示してある。図１０は、図１に示す表示装置１において光源光が表示領域１０ａに向けて照射される別の様子を示す説明図である。なお、図９に示す光線追跡結果においては、照度が相対的に高い領域を白い領域として示し、照度が相対的に低い領域を黒い領域として示してある。
【００４２】
本形態の表示装置１および照明装置２０においては、図３に示すように、光源４０から出射された光源光の一部の光線Ｌ１０は、直接、表示領域１０ａに照射される。また、光源４０から出射された光源光のうち、第１反射面２１や第２反射面２２に照射されずに透光板９０に到達した光線Ｌ１５は、透光板９０の表示領域１０ａの側の面９１で反射し、表示領域１０ａに照射される。また、図８に示すように、光源４０から出射された光源光のうち、第２反射面２２に照射された光線Ｌ１１は、第２反射面２２で反射し、表示領域１０ａに照射される。例えば、第２反射面２２の第４斜面２２４に照射された光線Ｌ１１は、第４斜面２２４で反射し、表示領域１０ａに対して光線Ｌ１０より光源４０に近い位置に照射される。
【００４３】
これに対して、光源４０から出射された光源光のうち、第１反射面２１に照射された光線Ｌ１２は、第１反射面２１で反射した後、第２反射面２２の第３斜面２２３で反射し、表示領域１０ａに対して光線Ｌ１１より光源４０から離間した位置に照射される。光源４０から出射された光源光のうち、第１反射面２１に対して光線Ｌ１２より光源４０から離間した位置に照射された光線Ｌ１３は、第１反射面２１で反射した後、第２反射面２２の第２斜面２２２で反射し、表示領域１０ａに対して光線Ｌ１２より光源４０から離間した位置に照射される。光源４０から出射された光源光のうち、第１反射面２１に対して光線Ｌ１３より光源４０から離間した位置に照射された光線Ｌ１４は、第１反射面２１で反射した後、第２反射面２２の第１斜面２２１で反射し、表示領域１０ａに対して光線Ｌ１３より光源４０から離間した位置に照射される。このようにして表示領域１０ａに照射された光線Ｌ１１、Ｌ１２、Ｌ１３．Ｌ１４の光線追跡結果は、図９に示す通りであり、光線Ｌ１１、Ｌ１２、Ｌ１３．Ｌ１４は各々、表示領域１０ａに対して異なる強度分布をもって照射される。
【００４４】
また、図１０に示すように、光源４０から出射された光源光のうち、第２連結斜面２２７に照射された光線Ｌ１６は、第２連結斜面２２７で反射した後、第１反射面２１、第３反射面２３、第５反射面２５、第１反射面２１で反射した後、透光板９０に到達し、透光板９０の表示領域１０ａの側の面９１で反射して表示領域１０ａに照射される。なお、図示を省略するが、第１連結斜面２２６および第３連結斜面２２８に照射された光線も、第２連結斜面２２７に照射された光線Ｌ１６と略同様な経路を介して表示領域１０ａに照射される。
【００４５】
また、光源４０から離間する第３反射面２３に到達した光の一部は、第３反射面２３で反射した後、表示領域１０ａに照射され、他の光は、第３反射面２３で反射した後、第４反射面２４で反射し、表示領域１０ａに照射される。また、表示領域１０ａや透光板９０で反射して第３反射面２３に到達した光は、その一部が第３反射面２３で反射した後、表示領域１０ａに照射され、他の光は、第３反射面２３で反射した後、第４反射面２４で反射し、表示領域１０ａに照射される。
【００４６】
（本形態の主な効果）
以上説明したように、本形態の表示装置１および照明装置２０では、光源４０が第１反射面２１と第２反射面２２との間から表示領域１０ａに向けて光源光を出射すると、光源光のうち、第２反射面２２に向かった光は、第２反射面２２で反射して表示領域１０ａに照射される。また、光源４０から出射された光源光のうち、第１反射面２１に向かった光は、第１反射面２１で反射した後、第２反射面２２で反射して表示領域１０ａに照射される。従って、表示領域１０ａのうち、光源４０に近い位置に照射される光強度を低く抑えることができる。このため、表示領域１０ａに照射される光強度分布の均一性を高めることができる。また、表示領域１０ａと重なる導光板を用いないので、導光板に起因する画像の視認性の低下等が発生しない。さらに、第２反射面２２は、複数の斜面２２０が配置された鋸歯状の断面形状を有するため、光源４０から第２反射面２２に直接向かった光、および第１反射面２１で反射して第２反射面２２に向かった光を表示領域１０ａに向けて反射する場合でも、第２反射面２２の表示領域１０ａの面外方向Ｖにおける寸法が短くてよい。
【００４７】
また、第２反射面２２では、複数の斜面２２０のうち、光源４０の側に位置する斜面２２０と第１反射面２１とが成す角度が、表示領域１０ａの側に位置する斜面２２０と第１反射面２１とが成す角度より大である。このため、光源４０から第２反射面２２に直接向かった光、および第１反射面２１で反射して第２反射面２２に向かった光を適正な方向に向けて反射するのに適しているため、表示領域１０ａに照射される光強度分布の均一性を高めることができる。
【００４８】
また、表示領域１０ａおよび光源４０が配置されている領域の周りを囲む第３反射面２３と、表示領域１０ａの面外方向Ｖにおいて表示領域１０ａの側を向いて表示領域１０ａの外縁に沿って延在する第４反射面２４とが設けられているため、表示領域１０ａに照射されずに表示領域１０ａの外側に向かおうとする光等を第３反射面２３および第４反射面２４で反射して表示領域１０ａに向かわせることができる。従って、表示領域１０ａに照射される光強度を高めることができる。また、表示領域１０ａのうち、光源４０から離間する領域に照射される光強度を高めることができるので、表示領域１０ａに照射される光強度分布の均一性を高めることができる。
【００４９】
また、第２反射面２２と第３反射面２３との間で光源４０と第３反射面２３との間に向いた第５反射面２５が設けられている。このため、光源４０から出射された光源光のうち、第２反射面２２で斜面２２０と斜面２２０との間で光源４０の側に向けて反射した光を第３反射面２３、第５反射面２５および第１反射面２１で反射して再び第２反射面２２に向かわせ、第２反射面２２で表示領域１０ａに向けて反射することができる。従って、表示領域１０ａに照射される光強度を高めることができる。
【００５０】
また、第２反射面２２および第４反射面２４は装飾部材６０ａとして用いた枠状部材６０に形成されているため、１つの部材（枠状部材６０）によって第２反射面２２および第４反射面２４を構成することができる。また、第３反射面２３がホルダー８０に構成されているため、第３反射面２３を構成するのに部材を追加する必要がない。
【００５１】
また、表示領域１０ａに対向する透光板９０が設けられているため、表示領域１０ａを透光板９０で保護することができる。また、表示領域１０ａに照射されずに透光板９０に向かった光を表示領域１０ａに向けて反射することができる。
【００５２】
［実施の形態２］
図１１は、本発明の実施の形態２に係る表示装置１の断面図である。図１２は、図１１に示す表示装置１に用いた枠状部材６０を第１面６１側からみた斜視図である。図１３は、図１１に示す枠状部材６０のＣ−Ｃ′断面図である。図１４は、図１１に示す表示装置１における光線追跡結果を示す説明図であり、図１４では、照度が相対的に高い領域を白い領域として示し、照度が相対的に低い領域を黒い領域として示してある。なお、本形態の基本的な構成は、実施の形態１と同様であるため、共有する部分に同一の符号を付して図示し、それらの説明を省略する。
【００５３】
実施の形態１では、第４反射面２４が平面であったが、本形態では、図１１、図１２および図１３に示すように、第４反射面２４が鋸歯状の断面形状を有している。より具体的には、第４反射面２４には、表示領域１０ａの面内方向Ｈにおいて表示領域１０ａの側に位置する外側端部２４１が表示領域１０の側に位置する内側端部２４２より表示領域１０ａの面外方向Ｖにおいて表示領域１０ａに接近するように傾いた複数の斜面２４０が第４反射面２４の内縁２４６から外縁２４７に向けて配置されている。本形態において、４つの斜面２４０が第４反射面２４の内縁２４６から外縁２４７に向けて配置されている。ここで、複数の斜面２４０（４つの斜面２４０）は傾き角度が等しく、本形態において、複数の斜面２４０はいずれも、表示領域１０ａの面外方向Ｖに対して７５°の角度を成している。
【００５４】
このように構成した表示装置１では、実施の形態１と同様な効果を奏するとともに、第４反射面２４での反射方向を適正化することができる。従って、図１１に示すように、第３反射面２３で反射した光線Ｌ１６を斜面２４０で反射して表示領域１０ａの適正な位置に入射させることができる。それ故、図１４に示すように、表示領域１０ａに照射される光強度を高めることができるとともに、表示領域１０ａに照射される光強度分布の均一性をさらに高めることができる。
【００５５】
［実施の形態３］
図１５は、本発明の実施の形態３に係る表示装置１の断面図である。図１６は、図１５に示す表示装置１に用いた枠状部材６０を第２面６２側からみた斜視図である。図１７は、図１６に示す枠状部材６０のＤ−Ｄ′断面図である。図１８は、図１１に示す表示装置１における光線追跡結果を示す説明図であり、図１８では、照度が相対的に高い領域を白い領域として示し、照度が相対的に低い領域を黒い領域として示してある。なお、本形態の基本的な構成は、実施の形態１、２と同様であるため、共有する部分に同一の符号を付して図示し、それらの説明を省略する。
【００５６】
実施の形態１では、枠状部材６０の第２面６２では、第２面６２の内縁までテーパー面６２２が形成されていたが、本形態では、図１５、図１６および図１７に示すように、第２面６２には、透光板９０に向けて突出したリブ状の凸部６２３が設けられている。また、凸部６２３の表示領域１０ａの側に位置する内面６２４は、表示領域１０ａの側の側に斜めに傾いているとともに、内面６２４には光散乱性の第６反射面２６が設けられている。本形態において、凸部６２３の内面６２４は、表示領域１０ａの面外方向Ｖに対して４°の角度傾いている。なお、光散乱性の第６反射面２６を構成するにあたっては、めっきを行う前に、凸部６２３の内面６２４を粗面化した構成等を採用することができる。
【００５７】
このように構成した表示装置１では、実施の形態１と同様な効果を奏するとともに、図１５に示すように、表示領域１０ａに照射されずに枠状部材６０と透光板９０との間に侵入しようとする光線Ｌ１７を凸部６２３の第６反射面２６で表示領域１０ａに向けて散乱反射することができる。従って、表示領域１０ａに照射される光強度を高めることができるとともに、図１８に示すように、光源４０から離間した領域における光強度を高めることができる。それ故、表示領域１０ａに照射される光強度分布の均一性をさらに高めることができる。
【００５８】
［他の実施の形態］
上記実施の形態では、光源４０が２つの発光素子４１からなる場合を例示したが、発光素子４１が１つ、あるいは３つ以上の場合に本発明を適用してもよい。
【００５９】
上記実施の形態では、表示部材１０等が円形の場合を例示したが、表示部材１０等が四角形等の多角形である場合に本発明を適用してもよい。
【００６０】
上記実施の形態では、表示部材１０が電気泳動パネル、反射型液晶パネル等の場合を例示したが、表示部材１０がＭＥＭＳ表示部材、光干渉表示部材、アナログ式時計および計器類等の機械表示部材である場合に本発明を適用してもよい。
【００６１】
［電子機器の構成例］
図１９は、本発明を適用した表示装置１を備えた携帯用電子機器１００の一態様を示す説明図である。図１９に示す携帯用電子機器１００は、腕装着型の電子機器であり、本体部１２０と、バンド部１３０とを備えている。本体部１２０には、時計機能に加えて、衛星測位システムの一種であるＧＰＳ（ＧｌｏｂａｌＰｏｓｉｔｉｏｎｉｎｇ  Ｓｙｓｔｅｍ）機能等を内蔵している。本体部１２０の中央には、表示部１４０が構成されており、かかる表示部１４０には、実施の形態１、２、３に係る表示装置１が用いられており、現在の日時や位置情報等が表示される。
【００６２】
なお、本発明を適用した表示装置１は、図１９に示す携帯用電子機器１００の他にも、携帯電話機、情報携帯端末（ＰＤＡ：Ｐｅｒｓｏｎａｌ  Ｄｉｇｉｔａｌ  Ａｓｓｉｓｔａｎｔｓ）、カメラのファインダー、電子ペーパー等の表示装置として用いてもよい。
【符号の説明】
【００６３】
１…表示装置、１０…表示部材、１０ａ…表示領域、１１…第１基板、１２…第２基板、１３…表示層、２０…照明装置、２０ａ…被照明領域、２１…第１反射面、２２…第２反射面、２３…第３反射面、２４…第４反射面、２５…第５反射面、２６…第６反射面、３０…カバー、４０…光源、４１…発光素子、５０…反射フィルム、６０…枠状部材、６０ａ…装飾部材、６１…第１面、６２…第２面、６６…第１部分、６７…第２部分、８０…ホルダー、８１…底板部、８２…側板部、９０…透光板、１００…携帯用電子機器、１２０…本体部、１３０…バンド部、１４０…表示部、２２０、２４０…斜面、２２１…第１斜面、２２２…第２斜面、２２３…第３斜面、２２４…第４斜面、２２６…第１連結斜面、２２７…第２連結斜面、２２８…第３連結斜面、２４６…内縁、２４７…外縁、４１１…第１ダイオード、４１２…第２発光ダイオード、６２１…支持面、６２２…テーパー面、６２３…凸部、６２４、８２６…内面、Ｈ…面内方向、Ｖ…面外方向。
【図１】
2018045856.tif 000003
【図２】
2018045856.tif 000004
【図３】
2018045856.tif 000005
【図４】
2018045856.tif 000006
【図５】
2018045856.tif 000007
【図６】
2018045856.tif 000008
【図７】
2018045856.tif 000009
【図８】
2018045856.tif 000010
【図９】
2018045856.tif 000011
【図１０】
2018045856.tif 000012
【図１１】
2018045856.tif 000013
【図１２】
2018045856.tif 000014
【図１３】
2018045856.tif 000015
【図１４】
2018045856.tif 000016
【図１５】
2018045856.tif 000017
【図１６】
2018045856.tif 000018
【図１７】
2018045856.tif 000019
【図１８】
2018045856.tif 000020
【図１９】
2018045856.tif 000021